(57)【要約】【課題】アキュームコンベヤ１０を有する容器処理ラインを、容器２の処理を行わない高速搬送に兼用する。【解決手段】上流側のフィラーで液体が充填された容器２が供給コンベヤ４によって容器処理装置６に供給される。容器処理装置６の搬送コンベヤ８の下流側にアキュームコンベヤ１０が連続して配置され、さらにそのアキュームコンベヤ１０の下流側に排出コンベヤ１２が配置されている。通常の容器処理を行うときには、搬送コンベヤ８を低速で、アキュームコンベヤ１０を高速で駆動する。下流側の処理装置が停止または減速したときには、アキュームコンベヤ１０に容器が蓄積されるに従って、搬送コンベヤ８と同じ速度に減速し、さらに、停止させる。また、容器２の処理を行わずに送り運転を行うときには、容器処理装置６の搬送コンベヤ８をアキュームコンベヤ１０の通常の運転時と同じ高速で駆動する。【選択図】図１
2006069744.tif 000002
【特許請求の範囲】
【請求項１】
容器を搬送コンベヤによって搬送しながら加熱あるいは冷却等の処理を行う容器処理装置と、この容器処理装置から排出された容器を次の装置に送る排出コンベヤと、前記容器処理装置の搬送コンベヤと排出コンベヤとの間に配置されたアキュームコンベヤとを備えた容器処理ラインにおいて、
前記容器処理装置の搬送コンベヤが、容器を処理する処理運転モードと、容器の処理を行わず、前記処理運転モードよりも高速で容器を搬送する送り運転モードとを備えることを特徴とする容器処理ライン。
【請求項２】
前記容器処理装置の搬送コンベヤは、搬送方向に区分され、独立して駆動される複数のコンベヤからなり、各コンベヤに容器の蓄積状態を検知するセンサーが設けられていることを特徴とする請求項１に記載の容器処理ライン。
【発明の詳細な説明】
【技術分野】
【０００１】
本発明は容器処理ラインに係り、特に、容器処理装置の下流側にアキュームコンベヤを備えた容器処理ラインに関するものである。
【背景技術】
【０００２】
搬送コンベヤによって容器を搬送中に、これら容器の加熱、冷却等の処理を行う容器処理装置、例えば、ウオーマ、クーラー、パストライザーでは、処理が済んだ容器を排出コンベヤによって次の処理装置に送るようになっている。
【０００３】
このような容器処理ラインでは、下流側の処理装置が停止したり処理速度が低下した場合に、上流側の容器処理装置を停止させなくても済むように、上流側の容器処理装置の搬送コンベヤと下流側の処理装置に容器を送る排出コンベヤとの間に、幅の広いアキュームコンベヤを設置して大量の容器を一時的に蓄積できるようにしている（例えば、特許文献１参照）。
【０００４】
前記特許文献１に記載された発明の構成は、パストライザまたは洗壜機等の容器処理装置のコンベヤの下流側に、アキューム用のコンベヤを直列に接続し、さらに、このアキューム用のコンベヤの下流端に、このアキュームコンベヤと直交する方向に排出コンベヤを配置している。
【特許文献１】実開平５−４４９１１号公報（明細書第４−５頁、図１）
【発明の開示】
【発明が解決しようとする課題】
【０００５】
前記のような従来の構成の容器処理ラインは、パストライザ等の容器処理装置で処理する容器以外の容器、つまり容器処理装置での処理を必要としない容器に兼用することは考慮されていなかった。
【課題を解決するための手段】
【０００６】
本発明は、容器を搬送コンベヤによって搬送しながら加熱あるいは冷却等の処理を行う容器処理装置と、この容器処理装置から排出された容器を次の装置に送る排出コンベヤと、前記容器処理装置の搬送コンベヤと排出コンベヤとの間に配置されたアキュームコンベヤとを備えた容器処理ラインにおいて、前記容器処理装置の搬送コンベヤが、容器を処理する処理運転モードと、容器の処理を行わず、前記処理運転モードよりも高速で容器を搬送する送り運転モードとを備えることを特徴とするものである。
【発明の効果】
【０００７】
本発明は、容器処理装置の搬送コンベヤと排出コンベヤとの間にアキュームコンベヤを設けた容器処理ラインを、前記容器処理装置での処理を必要としない容器の高速搬送に兼用することができる。
【発明を実施するための最良の形態】
【０００８】
容器処理装置の搬送コンベヤの下流側にアキュームコンベヤを配置し、さらに、このアキュームコンベヤの下流側に、次の処理装置に容器を送る排出コンベヤを配置し、前記容器処理装置の搬送コンベヤを、容器を処理する処理運転モードと、容器を処理せずに高速搬送する送り運転モードとに切換を可能にするという構成にしたことで、容器の処理を行う容器処理ラインを、処理を必要としない容器の高速搬送に兼用するという目的を達成する。
【実施例１】
【０００９】
以下、図面に示す実施例により本発明を説明する。図１は本発明の一実施例に係る容器処理ラインの平面図である。この容器処理ラインは、上流側のフィラー（図示せず）において内容物が充填され、キャッパでキャッピングが行われた容器２が、供給コンベヤ４によって搬送され、容器処理装置６（例えば、ウオーマ、クーラー、パストライザ）に導入される。この容器処理装置６内を搬送コンベヤ８によって搬送されている間に、加熱または冷却等の処理が行われた容器２は、その下流側に連続して配置されたアキュームコンベヤ１０を通過して排出コンベヤ１２に引き渡され、下流側の別の処理装置（図示せず）に送られる。なお、この容器処理ラインは、前記容器処理装置６の搬送コンベヤ８が、容器２を処理する処理運転モードと、容器２の処理を行わず、前記処理運転モードよりも高速で容器２を搬送する送り運転モードとを備えており、図１は処理運転モードでの容器２の搬送状態を示す。
【００１０】
この容器処理ラインは、多数のコンベヤに分割されており、これら各コンベヤがそれぞれ別のモーターによって独立して駆動されるようになっている。前記キャッパから容器２を供給する供給コンベヤ４は、容器処理装置６の搬送コンベヤ８と直交する方向（図１の上下方向）に配置され、多数の容器２を密着した状態でランダムに搬送する。供給コンベヤ４は幅方向に２つのコンベヤ４Ａ、４Ｂに分割されており、容器処理装置６から遠い側のコンベヤ（第１コンベヤ４Ａ）が第１モーター１４によって駆動され、容器処理装置６に近い側のコンベヤ（第２コンベヤ４Ｂ）が第２モーター１６によって、前記第１コンベヤ４Ａよりも速い速度で駆動される（例えば、第１コンベヤ４Ａが７ｍ／ｍｉｎの速度で駆動され、第２コンベヤ４Ｂが１０ｍ／ｍｉｎで駆動される）。
【００１１】
供給コンベヤ４の下流端寄りの側面に、この供給コンベヤ４から容器２を受け取って、前記容器処理装置６の搬送コンベヤ８に引き渡す導入コンベヤ１８が直交して配置されている。供給コンベヤ４上には、この供給コンベヤ４によって搬送されてきた容器２を、直交する配置の導入コンベヤ１８に乗り移らせるためのガイド２０Ａ、２０Ｂが設けられている。また、導入コンベヤ１８は、供給コンベヤ４と比べて非常に広い幅を有しており、搬送方向に向かって複数（この実施例では第３コンベヤ１８Ａおよび第４コンベヤ１８Ｂの二つ）に分割されている。これら第３コンベヤ１８Ａおよび第４コンベヤ１８Ｂは、それぞれ第３モーター２２および第４モーター２４によって駆動される。第３コンベヤ１８Ａは前記供給コンベヤ４よりも低速で駆動され、第４コンベヤ１８Ｂは、供給コンベヤ４よりも低速であるが第３コンベヤ１８Ａよりも速い速度で駆動される（例えば、第３コンベヤ１８Ａが２．３ｍ／ｍｉｎの速度で駆動され、第４コンベヤ１８Ｂが４．５ｍ／ｍｉｎで駆動される）。
【００１２】
前記導入コンベヤ１８の下流側に連続して、この導入コンベヤ１８と同一の広い幅を有する搬送コンベヤ８が配置されている。この搬送コンベヤ８は、前記容器処理装置６内に設けられており、多数の容器２を極めて低速（例えば、１．２ｍ／ｍｉｎ）で搬送し、長時間この容器処理装置６内に滞在するようにして、加熱あるいは冷却等の必要な容器処理を行う。従って、この容器処理装置６内では、多数の容器２が前後左右に密着し、搬送コンベヤ８の幅いっぱいに充満した状態で搬送される。
【００１３】
容器処理装置６内の搬送コンベヤ８は、その搬送方向に向かって複数のコンベヤ（第５コンベヤ８Ａ、第６コンベヤ８Ｂ、第７コンベヤ８Ｃの三つ）に分割されている。最も上流側に配置された第５コンベヤ８Ａは第５モーター２６によって駆動され、次の第６コンベヤ８Ｂは第６モーター２８によって、最も下流側に配置された第７コンベヤ８Ｃは第７モーター３０によってそれぞれ駆動される。搬送コンベヤ８を構成するこれら第５ないし第７コンベヤ８Ａ、８Ｂ、８Ｃは、容器処理装置６が通常の処理運転を行う処理運転モードの時には、前述のように極めて低速（１．２ｍ／ｍｉｎ）で運転される。一方、容器処理を行わない送り運転モードの時には、高速（例えば、１３ｍ／ｍｉｎの速度）で運転される。
【００１４】
搬送コンベヤ８を構成する各コンベヤ８Ａ、８Ｂ、８Ｃには、容器２の蓄積状態を検出するセンサーが設けられている。第５ないし第７コンベヤ８Ａ、８Ｂ、８Ｃのそれぞれの側部に、上流側のセンサー８Ａａ、８Ｂａ、８Ｃａと下流側のセンサー８Ａｂ、８Ｂｂ、８Ｃｂとが設けられている。これらセンサー８Ａａ、８Ｂａ、８Ｃａ、８Ａｂ、８Ｂｂ、８Ｃｂは接触式であり、前記各コンベヤ８Ａ、８Ｂ、８Ｃ上に蓄積された容器２の押し圧によってＯＮされる。これらセンサー８Ａａ、８Ａｂ、８Ｂａ、８Ｂｂ、８Ｃａ、８Ｃｂからの信号は、図示しないコントローラに送られ、このコントローラがそのセンサー８Ａａ、８Ａｂ、８Ｂａ、８Ｂｂ、８Ｃａ、８Ｃｂが設けられているコンベヤ８Ａ、８Ｂ、８Ｃまたは他のコンベヤの駆動を制御する。
【００１５】
各コンベヤ８Ａ、８Ｂ、８Ｃは、その下流側のセンサー８Ａｂ、８Ｂｂ、８ＣｂがＯＮすると減速され、上流側のセンサー８Ａａ、８Ｂａ、８ＣａがＯＮすると停止するようになっている。なお、通常の容器処理を行う処理運転モードでは、容器２は、図１に示すように、搬送コンベヤ８上を前後に密着しコンベヤ８の幅いっぱいに広がって搬送されるので、これら各コンベヤ８Ａ、８Ｂ、８Ｃに設けられているセンサー８Ａａ、８Ａｂ、８Ｂａ、８Ｂｂ、８Ｃａ、８Ｃｂは作動させない。また、搬送コンベヤ８の最も上流側に位置する第５コンベヤ８Ａの上流部に設けられているセンサー８ＡａがＯＮすると、前記供給コンベヤ４を構成する第１コンベヤ４Ａおよび第２コンベヤ４Ｂ、導入コンベヤ１８を構成する第３コンベヤ１８Ａおよび第４コンベヤ１８Ｂが停止される。つまり、容器処理装置６内が満杯になったことを前記センサー８Ａａが検出したときには、上流側からの容器２の供給を一時停止する。
【００１６】
容器処理装置６の搬送コンベヤ８の下流側に、アキュームコンベヤ１０が連続して配置されている。このアキュームコンベヤ１０は、前記導入コンベヤ１８および搬送コンベヤ８と同様に広い幅を有しており、さらに、アキューム時には多数の容器２を蓄積できるように、搬送方向に分割された多数のコンベヤ１０Ａ、１０Ｂ、……１０Ｅ、１０Ｆから構成されている。この実施例では、第８コンベヤ１０Ａから第１３コンベヤ１０Ｆまでの６つのコンベヤに分割されている。なお、図１では、第９コンベヤ１０Ｂの下流部から第１２コンベヤ１０Ｅの上流部までの図示を省略してある。
【００１７】
アキュームコンベヤ１０を構成する第８ないし第１３コンベヤ１０Ａ、１０Ｂ、１０Ｅ、１０Ｆは、それぞれ、第８モーターないし第１３モーター（第８モーター３２、第１２モーター３４、第１３モーター３６）によって駆動される。なお、第９モーターから第１１モーターまでは図示を省略してある。これらアキュームコンベヤ１０を構成する各コンベヤ１０Ａ、１０Ｂ、……１０Ｅ、１０Ｆは、通常の容器処理を行う処理運転モードの、正常な運転が行われている時には極めて高速で、例えば、容器処理装置６の搬送コンベヤ８の１０倍以上の速度（１３ｍ／ｍｉｎ）で駆動される。また、下流側の処理装置（図示せず）のトラブル等により容器２をアキュームするときには、多数の容器２を蓄積するために極めて低速、例えば容器処理装置６の搬送コンベヤ８と等速（１．２ｍ／ｍｉｎ）で駆動される。
【００１８】
アキュームコンベヤ１０を構成する各コンベヤ１０Ａ、１０Ｂ、……１０Ｅ、１０Ｆの側部の、上流側と下流側にそれぞれ容器２の蓄積状態を検出する接触式のセンサー１０Ａａ、１０Ａｂ、１０Ｂａ、……１０Ｅｂ、１０Ｆａ、１０Ｆｂが設けられている。なお、図１では、第９コンベヤ１０Ｂの下流側のセンサーから第１２コンベヤ１０Ｅの上流側のセンサーまでは、コンベヤと同様に図示を省略してある。これらアキュームコンベヤ１０を構成する各コンベヤ１０Ａ、１０Ｂ、……１０Ｅ、１０Ｆも、搬送コンベヤ８の各コンベヤ８Ａ、８Ｂ、８Ｃと同様に、その下流側のセンサー１０Ａｂ、……１０Ｅｂ、１０ＦｂがＯＮすると減速し、上流側のセンサー１０Ａａ、１０Ｂａ、……１０Ｆａがオンすると停止するようになっている。
【００１９】
アキュームコンベヤ１０の下流側には、アキュームコンベヤ１０によって搬送されてきた容器２を排出コンベヤ１２に受け渡す受け渡しコンベヤ（第１４コンベヤ）３８が連続して配置されている。この受け渡しコンベヤ３８も前記導入コンベヤ１８、搬送コンベヤ８およびアキュームコンベヤ１０と同様に、広い幅を有している。受け渡しコンベヤ３８は第１４モーター４０によって、極めて低速で、例えば、容器処理装置６が通常の容器処理を行う際の速度とほぼ同じ速度（１．２ｍ／ｍｉｎ）で駆動される。
【００２０】
受け渡しコンベヤ３８の下流端に、この受け渡しコンベヤ３８と直交する方向の排出コンベヤ（第１５コンベヤ）１２が配置されている。この排出コンベヤ１２は、前記受け渡しコンベヤ３８から受け取った容器２を搬送して、図示しない次の処理装置に送るようになっている。この排出コンベヤ１２は第１５モーター４２により高速（例えば、１０ｍ／ｍｉｎ）で駆動される。第１４モーター４０および第１５モーター４２によって駆動される受け渡しコンベヤ（第１４コンベヤ）３８および排出コンベヤ（第１５コンベヤ）１２は、前記アキュームコンベヤ１０の最も下流側に配置されている第１３コンベヤ１０Ｆの下流側に設けられたセンサー１０ＦｂがＯＮすると停止される。
【００２１】
以上の構成に係る容器処理ラインの作動について説明する。容器処理装置６によって容器２の処理を行う通常の処理運転モード時には、フィラー（図示せず）において内容物が充填されキャッパでキャッピングが行われて、供給コンベヤ４によって搬送されてきた容器２が、この供給コンベヤ４の上方から導入コンベヤ１８上に向かって湾曲して設けられた両側のガイド部材２０Ａ、２０Ｂに案内されて、供給コンベヤ４上から導入コンベヤ１８上に乗り移る。このとき、供給コンベヤ４の第１コンベヤ４Ａ（図１の左側のコンベヤ）よりも第２コンベヤ４Ｂの方が高速で駆動されているので（例えば、第１コンベヤが７ｍ／ｍｉｎの速度で駆動され、第２コンベヤが１０ｍ／ｍｉｎの速度で駆動される）、容器２が供給コンベヤ４上から導入コンベヤ１８上にスムーズに乗り移ることができる。
【００２２】
導入コンベヤ１８の上流側のコンベヤ（第３コンベヤ１８Ａ）は、前記供給コンベヤ４よりも幅が広く、大量の輸送が可能なので、供給コンベヤ４の第２コンベヤ４Ｂよりもはるかに低速で走行しており（例えば、第２コンベヤ４Ｂが１０ｍ／ｍｉｎで走行し、第３コンベヤが２．３ｍ／ｍｉｎで走行する）、容器２は前後左右に密着した状態で搬送される。導入コンベヤ１８の下流側の第４コンベヤ１８Ｂは、上流側の第３コンベヤ１８Ａよりも速い速度（例えば４．５ｍ／ｍｉｎ）で走行しており、容器２は第３コンベヤ１８Ａよりもやや疎らな状態で搬送される。
【００２３】
供給コンベヤ４から送られてきた容器２は、導入コンベヤ１８を介して容器処理装置６に搬入される。容器処理装置６内には、前記導入コンベヤ１８の第４コンベヤ１８Ｂに連続して搬送コンベヤ（第５コンベヤないし第７コンベヤ８Ａ、８Ｂ、８Ｃ）が配置されており、この搬送コンベヤ８によって容器２を搬送している間に、加熱あるいは冷却等の処理を行う。大量の容器２を長時間この容器処理装置６内に滞留させて充分な処理を行うために、搬送コンベヤ８は極めて低速で駆動される（例えば、１．２ｍ／ｍｉｎ）。なお、通常の容器処理を行う処理運転モードでは、容器２は、図１に示すように、前後に密着しコンベヤ８の幅いっぱいに広がって搬送されるので、これら各コンベヤ８Ａ、８Ｂ、８Ｃに設けられているセンサー８Ａａ、８Ａｂ、８Ｂａ、８Ｂｂ、８Ｃａ、８Ｃｂは作動させない。
【００２４】
容器処理装置６によって処理が行われた容器２は、搬送コンベヤ８の下流側に連続して設けられたアキュームコンベヤ１０上に押し出される。この実施例に係る容器処理ラインが処理運転モードで正常に運転されているときは、容器２をアキュームする必要がないので、アキュームコンベヤ１０を構成する各コンベヤ１０Ａ、１０Ｂ、……１０Ｅ、１０Ｆは極めて高速で駆動されており（例えば、１３ｍ／ｍｉｎ）、容器２は各コンベヤ１０Ａ、１０Ｂ、……１０Ｅ、１０Ｆ上を非常に疎らな状態で搬送される。
【００２５】
アキュームコンベヤ１０によって高速搬送された容器２は、受け渡しコンベヤ（第１４コンベヤ）３８に乗り移った後、この受け渡しコンベヤ３８と直交する方向に配置された排出コンベヤ（第１５コンベヤ）１２に受け渡されて、次の処理装置（図示せず）に送られる。受け渡しコンベヤ３８は、容器２を貯留した後排出コンベヤ１２に受け渡すので、極めて低速で駆動されるようになっている（この実施例では、前記搬送コンベヤ８を構成する各コンベヤ８Ａ、８Ｂ、８Ｃと等速の１．２ｍ／ｍｉｎ）。また、排出コンベヤ１２は、前記搬送コンベヤ８、アキュームコンベヤ１０および受け渡しコンベヤ３８等よりも幅が狭く、受け渡しコンベヤ３８よりも遙かに速い速度で駆動される（例えば、１０ｍ／ｍｉｎ）。
【００２６】
処理運転モード時において、下流側の処理装置（図示せず）が正常に運転されて、容器処理装置６によって処理された容器２が順調に送られている間は、前述のように容器２が図１に示す状態で搬送されている。一方、下流側の処理装置が、何らかのトラブルによって停止したり、減速した場合等には、アキュームコンベヤ１０上に容器２を蓄積することにより、この容器処理装置６あるいはその上流側のフィラー等の運転を停止しないようにする。
【００２７】
排出コンベヤ（第１５コンベヤ）１２から容器２が送られている下流側の処理装置が停止または減速すると、排出コンベヤ１２、受け渡しコンベヤ（第１４コンベヤ）３８の順に次第に容器２が蓄積され、アキュームコンベヤ１０の最も下流側の第１３コンベヤ１０Ｆにも容器２が蓄積されてくる。第１３コンベヤ１０Ｆの下流側から次第に容器２が蓄積されて、この第１３コンベヤ１０Ｆの下流側センサ１０ＦｂがＯＮすると、前記第１５コンベヤ１２および第１４コンベヤ３８のモーター４２、４０が停止されるとともに、第１３コンベヤ１０Ｆが減速される。この第１３コンベヤ１０Ｆは前記正常運転時の速度よりも大幅に減速される。例えば、正常運転時に１３ｍ／ｍｉｎの速度で駆動していたものを、容器処理装置６の搬送コンベヤ８と同一の１．２ｍ／ｍｉｎまで減速する。
【００２８】
アキュームコンベヤ１０の最も下流側に位置する第１３コンベヤ１０Ｆに次第に容器２が蓄積され、上流側のセンサー１０ＦａがＯＮすると、この第１３コンベヤ１０Ｆのモーター３６が停止する。すると、容器処理装置６から送り出されてくる容器２が、前記第１３コンベヤ１０Ｆからさらに第１２コンベヤ１０Ｅ上にも蓄積される。この第１２コンベヤ１０Ｅの下流側に設けられたセンサー１０ＥｂがＯＮすると、この第１２コンベヤ１０Ｅが減速され、さらに上流側のセンサー（図示せず）がＯＮすると、この第１２コンベヤ１０Ｅが停止する。同様にして次第に上流側のコンベヤ（……１０Ｂ、１０Ａ）に容器２が蓄積され、順次減速された後停止する。なお、この実施例では、最終的には、容器処理装置６の上流側に配置された導入コンベヤ１８の下流側の第４コンベヤ１８Ｂも減速されて（例えば、容器処理装置６の搬送コンベヤ８と等速の１．２ｍ／ｍｉｎまで減速）、容器２をアキュームすることができる。
【００２９】
前記のように下流側の処理装置のトラブル等によりアキュームコンベヤ１０上に容器２を蓄積した状態から復帰するときには、下流側からの復帰信号により排出コンベヤ（第１５コンベヤ）１２および受け渡しコンベヤ（第１４コンベヤ）３８を再び作動させるとともに、アキュームコンベヤ１０の最も下流側に位置する第１３コンベヤ１０Ｆを低速で作動させる。この第１３コンベヤ１０Ｆに蓄積されていた容器２が次第に払い出され下流側センサー１０ＦｂがＯＦＦになると、この第１３コンベヤ１０Ｆを加速させる。続いて、第１３コンベヤ１０Ｆの上流側のセンサー１０ＦａがＯＦＦになると、この第１３コンベヤ１０Ｆの上流側の第１２コンベヤ１０Ｅを低速で作動させる。以降同様にして、順次上流側のコンベヤ（……１０Ｂ、１０Ａ）を低速で作動させ、加速させて容器２を払い出していく。
【００３０】
この実施例に係る容器処理ラインは、前記容器処理装置６によって容器２を加熱あるいは冷却等の処理を行う処理運転モードの他に、容器２の処理を行わずに大量の容器２を高速で搬送する送り運転モードを有している。送り運転モード時には、供給コンベヤ４を構成する第１コンベヤ４Ａおよび第２コンベヤ４Ｂを、第１モーター１４および第２モーター１６によって前記処理運転時と同一の速度（第１コンベヤが７ｍ／ｍｉｎ、第２コンベヤが１０ｍ／ｍｉｎ）で駆動し、また、導入コンベヤ１８の上流側の第３コンベヤ１８Ａも第３モーター２２によって前記処理運転時と同一の速度（２．３ｍ／ｍｉｎ）で駆動する。さらに、導入コンベヤ１８の下流側の第４コンベヤ１８Ｂは、第４モーター２４によって前記処理運転時よりも低速（１．２ｍ／ｍｉｎ）で駆動する。
【００３１】
送り運転モード時には、容器処理装置６での処理を行わないので、容器処理装置６の搬送コンベヤ８は高速運転を行う。この実施例では、前記処理運転モード時において、正常な処理が行われている場合のアキュームコンベヤ１０の駆動速度と同一の速度（１３ｍ／ｍｉｎ）で駆動する。そして、アキュームコンベヤ１０の下流側に配置されている受け渡しコンベヤ（第１４コンベヤ）３８および排出コンベヤ（第１５コンベヤ）１２は、それぞれ第１４モーター４０および第１５モーター４２によって、前記処理運転時と同一の速度（第１４コンベヤ３８が１．２ｍ／ｍｉｎ、第１５コンベヤ１２が１０ｍ／ｍｉｎの速度）で駆動される。このように容器処理装置６を備えた容器処理ラインで、容器処理を行わない送り運転をするときには、容器処理装置６の搬送コンベヤ８（第５コンベヤ８Ａないし第７コンベヤ８Ｃ）もアキュームコンベヤ１０（第８コンベヤ１０Ａないし第１３コンベヤ１０Ｆ）と同様の高速で駆動するようにしたので、大量の容器２を高速で搬送することができる。
【００３２】
また、この容器処理ラインが送り運転モードで運転されているときにも、下流側の処理装置が停止したり、減速した場合には、前記処理運転モード時と同様にアキュームコンベヤ１０に容器２をアキュームすることができる。さらに、送り運転モードでは、容器処理装置６の搬送コンベヤ８が、正常な運転時のアキュームコンベヤ１０と同じ高速（例えば、１３ｍ／ｍｉｎ）で駆動されており、容器２が疎らな状態で搬送されているので、この搬送コンベヤ８にも容器２をアキュームすることができる。この搬送コンベヤ８のアキューム動作も、前記アキュームコンベヤ１０と同様に、各コンベヤ（第５コンベヤ８Ａ、第６コンベヤ８Ｂ、第７コンベヤ８Ｃ）の下流側のセンサー８Ａｂ、８Ｂｂ、８ＣｂがそれぞれＯＮしたときにそのコンベヤを減速し、上流側のセンサー８Ａａ、８Ｂａ、８ＣａがＯＮしたときにそのコンベヤを停止させる。なお、前記各コンベヤの走行速度は一例であり、前記数値に限定されないことはいうまでもない。
【図面の簡単な説明】
【００３３】
【図１】容器処理ラインの処理運転が正常に行われている場合を示す平面図である。（実施例１）
【図２】前記処理運転時に、アキュームが行われている場合を示す平面図である。
【図３】前記容器処理ラインで送り運転を行っている場合の平面図である。
【符号の説明】
【００３４】
２    容器
６    容器処理装置
８    搬送コンベヤ
１０    アキュームコンベヤ
１２    排出コンベヤ
【図１】
2006069744.tif 000003
【図２】
2006069744.tif 000004
【図３】
2006069744.tif 000005